(57)【要約】【課題】  切り換えスイッチの接点不良等の問題を招くことなしに簡易にして精度良く計測することのできる地滑り検出装置を提供する。【解決手段】  地中に埋設されるパイプ体の互いに異なる位置にそれぞれ対をなして設けられた複数のひずみゲージ対の抵抗値変化を検出する地滑り検出装置であって、接続ユニットには複数のひずみゲージ対からそれぞれ導出されたリード線を接続する端子台、およびこの端子台に接続されたリード線を一括して外部接続する為の外部接続コネクタを設ける。そして計測端末装置には上記接続ユニットの上記外部接続コネクタに接続される接続コネクタ、前記ひずみゲージ対の抵抗値変化を計測する計測手段、およびこの計測手段を前記接続コネクタを介して前記複数のひずみゲージ対に択一的に接続するスイッチ回路を設ける。【選択図】      図１
2005265445.tif 000002
【特許請求の範囲】
【請求項１】
地中に埋設されるパイプ体の互いに異なる位置にそれぞれ設けられた複数のひずみゲージ対の抵抗値変化をそれぞれ計測して上記地中のひずみを検出する地滑り計であって、
前記複数のひずみゲージ対から導出されたリード線が個別に接続される複数の端子を有する端子台と、この端子台の上記複数の端子を一括して外部接続する為の外部接続コネクタとを具備して前記パイプ体の設置現場に設けられる接続ユニットと、
この接続ユニットの上記外部接続コネクタに接続される接続コネクタと、前記ひずみゲージ対の抵抗値変化を計測する計測手段と、この計測手段を前記接続コネクタを介して前記複数のひずみゲージ対に択一的に接続するスイッチ回路とを具備した計測端末装置と
を備えたことを特徴とする地滑り検出装置。
【請求項２】
前記計測端末装置は、更に前記計測手段にて計測された抵抗値変化を前記各ひずみゲージ対に対応付けて記憶するメモリを備えることを特徴とする請求項１に記載の地滑り検出装置。
【請求項３】
前記計測手段は、前記スイッチ回路を介して択一的に接続されたひずみゲージ対の直列接続された一対のひずみゲージに一定電流を供給して各ひずみゲージにそれぞれ生じた降下電圧の差から当該ひずみゲージ対が埋設された深さでの地中のひずみを計測するものである請求項１に記載の地滑り検出装置。
【発明の詳細な説明】
【技術分野】
【０００１】
本発明は、地中に埋設されたパイプ体の長手方向に沿って設けられた複数のひずみゲージ対の各抵抗値変化から、地滑りや地盤沈下、更にはその前兆現象等を地中のひずみとして検出する地滑り検出装置に関する。
【背景技術】
【０００２】
地中での地滑りや地盤沈下、更にはその前兆現象等を観測する地滑り計の１つにパイプひずみ計がある。このパイプひずみ計は、例えば図４(ａ)に示すように直径５ｃｍ、長さが１ｍ程度のパイプ体１の周面に一対のひずみゲージ２ａ,２ｂ（ひずみゲージ対２）を互いに対峙させて設けたセンシング体を備える。そしてパイプ体１に加わるひずみの向きとその大きさによって一対のひずみゲージ２ａ,２ｂの抵抗値が互いに逆向きに変化することから、図４(ｂ)に示すようにひずみゲージ２ａ,２ｂの抵抗値Ｒａ,Ｒｂの変化をひずみ量として検出するように構成される。
【０００３】
このようなパイプひずみ計は、所定の長さとなるように複数本直列に連結することで、複数のひずみゲージ対２をその長手方向に沿って配置した地滑りセンサとして用いられ、例えば図４(ｃ)に示すように所定の深さ位置まで地中３に埋設されて地中内での地滑りやその前兆現象等に起因する前記パイプ体１の曲がり（ひずみ変位）の検出に供される。尚、地中に光ファイバを埋設しておき、光ファイバを伝播する光の該光ファイバの曲がりによるブリルアン散乱光の周波数変位から地中のひずみをリモートセンシング的に計測することも提唱されている（例えば特許文献１を参照）。しかしながら前述したパイプひずみ計は、安価で取り扱いが簡便である等の理由により現在でも数多く用いられている。
【特許文献１】特開平１０−９００１８号公報
【発明の開示】
【発明が解決しようとする課題】
【０００４】
ところで上述したパイプひずみ計（地滑りセンサ）を用いた地中のひずみ観測は、専ら、パイプひずみ計（地滑りセンサ）の設置現場に赴いた観測者が携帯する計測端末装置を用いて手動または半自動で行われる。手動による観測は、パイプひずみ計（地滑りセンサ）の設置現場に複数のひずみゲージ対２からそれぞれ引き出したリード線に前記計測端末装置を個別に接続してその抵抗値変化を計測する形態である。尚、図５(ａ)に示すようにパイプひずみ計（地滑りセンサ）の設置現場に前記各ひずみゲージ対２からそれぞれ引き出されたリード線が接続される端子台４と、この端子台４の各端子を選択的に外部接続するためのロータリー型の切り換えスイッチ７とを備えた接続箱（接続ユニット）５を設けておくことも行われている。この場合、ロータリー型の切り換えスイッチ７を切り換えるだけで前記各ひずみゲージ対２の抵抗値変化を順次計測することが可能となる。
【０００５】
また半自動による計測は、図５(ｂ)に示すようにパイプひずみ計（地滑りセンサ）の設置現場にデータロガー８を設けておき、予め設定したインターバル時間毎に各ひずみゲージ対２の抵抗値変化をそれぞれ計測してその計測データを内部の不揮発性メモリ９に記録しておき、後日、上記パイプひずみ計（地滑りセンサ）の設置現場に赴いた観測者により上記データロガー８（不揮発性メモリ９）に記録したデータを回収してくるようにした形態である。
【０００６】
しかしながらパイプひずみ計（地滑りセンサ）の設置現場毎にデータロガー８を設置するには、例えばデータロガー８自体を落雷等のサージ電流から保護することが必要があり、その構成が複雑化することのみならず設備コストが嵩むことが否めない。しかもデータロガー８や上述した端子箱５が設けられるパイプひずみ計（地滑りセンサ）の設置現場は、通常、地滑りの発生が懸念される軟弱で湿気の多い地盤地帯であることが多いので、端子台４や切り換えスイッチ７の錆・腐食が問題となる。特にひずみゲージ対２を用いたひずみ計測は、ひずみゲージ２ａ,２ｂの僅かな抵抗値変化を数十μＶオーダの微小な電圧値変化として検出することが多いので、端子台４や切り換えスイッチ７での接触不良に起因する抵抗値変化が計測信頼性の劣化を招来し、地中のひずみの観測に大きな影響を及ぼすことになる。
【０００７】
本発明はこのような事情を考慮してなされたもので、その目的は、湿気の多い地盤地帯等に設けられる複数のひずみゲージ対の抵抗値変化を、切り換えスイッチの接点不良等の問題を招くことなしに簡易にして精度良く計測することのできる地滑り検出装置を提供することにある。
【課題を解決するための手段】
【０００８】
本発明に係る地滑り検出装置は、地中に埋設されるパイプ体の互いに異なる位置にそれぞれ設けられた複数のひずみゲージ対に計測端末装置を選択的に接続する為の切り換えスイッチが前記パイプ体の設置現場である湿気の多い環境に晒される結果、接触不良等の問題が生じることに着目している。
そこで本発明に係る地滑り検出装置は上述した目的を達成するべく
(ａ)  前記複数のひずみゲージ対からそれぞれ導出されたリード線が個別に接続される複数の端子を有する端子台と、この端子台の上記複数の端子を一括して外部接続する為の外部接続コネクタとを具備して前記パイプ体の設置現場に設けられる接続ユニットと、
(ｂ)  この接続ユニットの上記外部接続コネクタに、例えば所定の接続ケーブルを介して接続される接続コネクタと、前記ひずみゲージ対の抵抗値変化を計測する計測手段と、この計測手段を前記接続コネクタを介して前記複数のひずみゲージ対に択一的に接続するスイッチ回路とを具備した計測端末装置と
を備えたことを特徴としている。
【０００９】
即ち、本発明に係る地滑り検出装置は、設置現場に設けられる接続ユニットと計測端末装置とを所定チャネル数の接続コネクタを介して一括接続するように構成すると共に、上記計測端末装置にスイッチ回路を設けることで、装置構成の複雑化を招来することなしに当該スイッチ回路の設置環境とその動作信頼性を確保し、その取り扱いの容易化を図ったことを特徴としている。
【００１０】
好ましくは請求項２に記載するように前記計測端末装置に、更に前記計測手段にて計測された抵抗値変化を前記各ひずみゲージ対に対応付けて記憶するメモリを設けることが望ましい。更には請求項３に記載するように前記計測手段を、前記スイッチ回路を介して択一的に接続されたひずみゲージ対の直列接続された一対のひずみゲージ間に一定電流を供給し、この状態において各ひずみゲージに生じた電圧差から当該ひずみゲージ対が埋設された深さでの地中のひずみを計測するように構成することが望ましい。
【発明の効果】
【００１１】
上述した構成の地滑り検出装置によれば、設置現場に設けられる接続ユニットと計測端末装置とを所定チャネル数の接続コネクタを介して一括して並列接続するだけで良いので、その接続作業自体が非常に簡単である。しかも湿気が多い等、設置環境の悪い接続ユニットに設けられた外部接続コネクタについては、例えばその接点部をカバー体等を用いて封止しておくことが容易であり、また外部接続コネクタとして金メッキタイプのものを用いるだけで湿気による錆や腐食の発生を容易に防止することができる。従ってこの外部接続コネクタと計測端末装置に設けた接続コネクタとの接続作業だけで、接触不良等の問題を招来することなく上記接続ユニットと計測端末装置とを確実に接続することができる。
【００１２】
その上で、計測端末装置に組み込んだスイッチ回路を切り換え操作すれば、これによって前記接続ユニットの設置環境に拘わることなく複数のひずみゲージ対の１つに計測手段を択一的に、しかも確実に接続することができるので、そのひずみ計測を精度良く行うことができる。また計測端末装置側においてスイッチ回路を操作してひずみゲージ対を選択するので、計測端末装置を操作する手元側においてどのひずみゲージ対の抵抗値変化を計測しているのかを常に正確に把握し、その計測データを正しく管理することができる。
【００１３】
また設置現場には前述した接続ユニットを設けておくだけであり、データロガー等のデータ収集装置やスイッチ回路等を個々の設置現場毎に設けておく必要がないので、複数の観測現場に対する設備コストを十分に安くし得る。また接続ユニットは、基本的には端子台と外部接続コネクタとを備えるだけなので、落雷等に起因するサージ電流に対する対策も不要となる等の効果が奏せられる。
【００１４】
また請求項２に記載するように計測手段にて計測された抵抗値変化を前記各ひずみゲージ対に対応付けてメモリに記憶する場合であっても、計測端末装置においてスイッチ回路がどのひずみゲージ対を選択しているかが明らかなので、つまりどのチャネルを選択しているかが明らかなので、その計測値とひずみゲージ対との対応関係をそれぞれ正確に対応付けてメモリに記憶することができる。従ってその計測データを持ち帰って解析する場合であっても、ひずみゲージ対との対応関係が明白なので計測データの信頼性を損なう虞がない。
【００１５】
更には請求項３に記載するようにひずみゲージ対の直列接続された一対のひずみゲージ間に一定電流を供給し、この状態において上記各ひずみゲージにそれぞれ生じた電圧の差からそのひずみを計測するようにしておけば、例えば上記直列接続された一対のひずみゲージに生じた電位差（電圧降下）から当該ひずみゲージの劣化等に起因する絶縁抵抗不良等を判別することが可能となる。即ち、上記一対のひずみゲージはパイプ体の曲がりによって互いに異なる向きに抵抗値変化を呈するが、基本的にはその抵抗値変化量は等しい。従って直列接続された一対のひずみゲージの全体的な抵抗値をモニタすれば、その抵抗値変化からひずみゲージ対の絶縁不良、特性劣化および断線等を自己診断することが可能となる等の効果が奏せられる。
【発明を実施するための最良の形態】
【００１６】
以下、図面を参照して本発明の一実施形態に係る地滑り計について説明する。
図１はこの実施形態に係る地滑り計の要部概略構成図で、１０はパイプひずみ計（地滑りセンサ）の設置現場に設けられて該パイプひずみ計が備えた複数のひずみゲージ対からそれぞれ導出されるリード線１１が接続される端子台１２を備えた接続ユニットである。また２０は上記接続ユニット１０の設置現場に赴く観測者が携帯して該接続ユニット１０に接続される可搬型（ハンディ型）の計測端末装置である。
【００１７】
接続ユニット１０は、その前面に扉１３を開閉自在に備えた箱形の筐体１４の内部に、例えば３個で１組をなす２０チャネル分の端子（６０端子）を備えた端子台１２を設けると共に、これらの各端子を並列に外部接続する為の、例えば５０〜６０ピン型の外部接続コネクタ１５を設けて構成される。上記端子台１２の各端子と前記外部接続コネクタ１５の各ピンは、例えば予め定められた配列順序で１対１に接続されている。尚、端子台１２における複数の端子の内、計測の基準となる接地ライン（ＧＮＤ）を互いに共通接続して前記外部接続コネクタ１５の予め定めた共通ピンに一括して接続することも勿論可能である。また箱形の筐体１４は、扉１３を閉じることによってその内部を密閉して雨水等の侵入を防止する防水構造を有するもので、地表面に立設した支柱（図示せず）等に取り付ける等して１.０ｍ程度の高さ位置に設置される。そして地中に埋設したパイプひずみ計（地滑りセンサ）の複数のひずみゲージ２からそれぞれ引き出されたリード線１１は、上記筐体１４の下部に設けられた孔部１６を介して上記筐体１４の内部に引き込まれて上記端子台１２の予めチャネル毎に定められた端子にそれぞれ接続される。
【００１８】
一方、上記接続ユニット１０に接続される可搬型の計測端末装置２０は、片手で把持可能な大きさの箱形のものからなり、その上端部に３つのねじ式の接続端子２１（２１ａ,２１ｂ,２１ｃ）を備えると共に、その側面部に５０〜６０ピン型の接続コネクタ２２を備えている。この接続コネクタ２２に、図示しない所定の接続ケーブルを介して前記接続ユニット１０の外部接続コネクタ１５が選択的に接続される。尚、上記接続コネクタ２２を前記接続ユニット１０の外部接続コネクタ１５に直接接続し得るように構成しておくことも勿論可能である。この場合には、計測端末装置２０の操作性を考慮して該計測端末装置２０における接続コネクタ２２の組み込み位置を定めておけば良い。
【００１９】
またこの計測端末装置２０の前面部には、例えば１６文字×２行の液晶表示器２３が設けられると共に、計測開始や計測モード等を指示する為の４つの押し釦スイッチ（操作キー）２４（２４ａ,２４ｂ,２４ｃ,２４ｄ）が設けられている。この計測端末装置２０は、例えば電池２５を駆動源として動作するもので、後述するようにひずみゲージ対２の抵抗値を計測する計測手段をなすＣＰＵ３０等を備えて構成される。またこの計測端末装置２０には、その計測値等を記憶するためのメモリカード２５が着脱自在に装着されるようになっている。
【００２０】
具体的には上記計測端末装置２０は、図２にその概略構成を示すようにＣＰＵ３０を主体として構成される。このＣＰＵ３０は、デコーダ３１を介してチャネル選択機能であるスイッチ回路３２を切り換え制御することで、前記外部接続コネクタ２２および接続端子２１を介して該計測端末装置２０に接続されたひずみゲージ対２の抵抗値を後述する計測回路４０にて検出し、その計測値をＡ／Ｄ変換器３３を介して取り込む役割を担う。そしてＣＰＵ３０は、この計測値を前記スイッチ回路３２を介して択一的に選択したチャネル（ひずみゲージ対２）に対応付けて内部メモリ３４に記憶したり、或いはカードスロット３５に装着されたメモリカード２５に記憶するものとなっている。
【００２１】
この際、ＣＰＵ３０は、温度センサ３６により検出される温度情報や、時計機能３７により計時されている現在時刻（計測日時）の情報も上記計測値に対応付けて記憶するようになっている。尚、計測回路４０によるひずみゲージ対２の抵抗値（ひずみ）の計測は、前述した押し釦スイッチ２４からの指示に従って前記スイッチ回路３２を切り換え制御し、計測チャネル（ひずみゲージ対２）を１つずつ指定しながら行っても良いが、予め定められた順序で計測チャネル（ひずみゲージ対２）を順に切り換えながら連続して行うようにしても良い。
【００２２】
尚、計測回路４０によるひずみゲージ対２の抵抗値計測は、基本的には直列に接続された一対のひずみゲージ２ａ,２ｂの一端側から他端側に向けてセンサ駆動電源３８から一定電流を供給し、各ひずみゲージ２ａ,２ｂにそれぞれ生じた降下電圧Ｖａ,Ｖｂをそれぞれ計測することによってなされる。そして一対のひずみゲージ２ａ,２ｂの抵抗値変化が、前述したようにパイプ体１に加わるひずみの向きによって互いに逆向きに生じることから、その抵抗値変化に伴う降下電圧Ｖａ,Ｖｂの変化として検出し、その電圧差を求めることによって行われる。
【００２３】
より具体的には計測回路４０は、前記スイッチ回路３２を介して選択接続されたひずみゲージ対２に対して、図３に示すように直列接続された一対のひずみゲージ２ａ,２ｂ（ハーフ・ブリッジ）間に定電流源４１から一定電流Ｉを供給するように構成される。そして直接接続された上記ひずみゲージ２ａ,２ｂの両端にそれぞれ生じた電圧をバッファ４２,４３を介して検出し、これらの検出電圧を計測基準用の直列接続した一対の基準抵抗４５,４６（ハーフ・ブリッジ）間に印加している。そしてこれらの基準抵抗４５,４６の共通接続点に生じるハーフ・ブリッジ出力電圧と、前記ひずみゲージ２ａ,２ｂの共通接続点に生じるハーフ・ブリッジ出力電圧との電位差（フルブリッジ出力電圧）を前記ひずみゲージ２ａ,２ｂに加わったひずみによる抵抗値変化、つまりひずみ量として検出するものとなっている。
【００２４】
また同時にこの計測回路４０においては、前記バッファ４２,４３を介して検出されて基準抵抗４５,４６（ハーフ・ブリッジ）に印加された電圧をモニタしており、この印加電圧の基準電圧からの変化を監視している。そしてこのモニタ電圧に変動が生じたとき、前記ひずみゲージ２ａ,２ｂに絶縁不良や特性劣化等の不具合が生じたものとして検出している。即ち、一対のひずみゲージ２ａ,２ｂは、パイプ体１の相対する反対側の周面にそれぞれ設けられており、パイプ体１の曲がりに対して互いに逆向きのひずみが加わるようになっている。またこれらの各ひずみゲージ２ａ,２ｂは、ひずみの向きに対して逆向きの抵抗値変化を呈するものの、その抵抗値の変化量自体は同じものとなっている。これ故、直列に接続された一対のひずみゲージ２ａ,２ｂの両端間の抵抗値は、基本的には該ひずみゲージ対２にひずみが加わるか否かに拘わらず一定に保たれる。
【００２５】
しかしながらひずみゲージ対２の特性に変化が生じている場合には、その一対のひずみゲージ２ａ,２ｂに一定電流Ｉが供給されるので、ひずみゲージ２ａ,２ｂの特性変化に応じて各ひずみゲージ２ａ,２ｂにそれぞれ生じる電圧降下（電位差）にずれが生じ、直列接続されたひずみゲージ２ａ,２ｂ（ひずみゲージ対２）の両端間に生じる電位差に変動が生じることになる。前述した電圧モニタは、このようなひずみゲージ対２の両端間に生じる電圧を監視することで一対のひずみゲージ２ａ,２ｂの絶縁抵抗が劣化していないか、更にはその設置時等に断線していないか等を判定している。そして前述した如く計測したひずみゲージ２ａ,２ｂの抵抗値変化、つまりひずみ量が、地中の地滑りによるパイプ体１のひずみに起因するものであるか、或いはひずみゲージ２ａ,２ｂの特性劣化によるものかを検証している。
【００２６】
即ち、この実施形態においては直列に接続した一対のひずみゲージ２ａ,２ｂを一定電流Ｉで駆動し、これによって生じる各ひずみゲージ２ａ,２ｂでの降下電圧Ｖａ,Ｖｂからその抵抗値の全体的な変動をモニタしているので、計測した抵抗値が極端に低くなった場合、これをひずみゲージ２ａ,２ｂの絶縁劣化であると判定することができる。従って真に地滑りに起因して一対のひずみゲージ２ａ,２ｂの抵抗値が変化したか、或いは誤った計測値が得られたかを容易に判定することができる。
【００２７】
かくして上述した如く構成された地滑り計によれば、複数のひずみゲージ対２をその抵抗値変化の計測手段であるＣＰＵ３０に択一的に接続するスイッチ回路３２が、計測端末装置２０に組み込まれており、接続ユニット１０には端子台１２に接続された各ひずみゲージ対２からのリード線１１を並列に外部接続するための外部接続コネクタ１５が設けられているだけなので、接続ユニット１０が設けられた環境の湿気等に起因して計測端末装置２０と各抵抗ゲージ対２との電気的接続が不良となったり、その接続が妨げられる等の不具合を招来することがない。また計測端末装置２０に組み込まれたスイッチ回路（選択機能）３２は、該計測端末機器２０の下で管理され、パイプひずみ計（地滑りセンサ）の設置現場のような湿気の多い地域において長期間に亘って晒されることがないので、その信頼性を十分に確保することができる。
【００２８】
換言すればパイプひずみ計（地滑りセンサ）の設置現場のような湿気の多い地域に長期間に亘って晒される接続ユニット１０には、端子台１２と外部接続コネクタ１５が設けられるだけであり、スイッチ回路のような機械的可動接点部品が設けられない。従って可動接点部品の接触不良等の問題を招くことがない。またスイッチ回路３２を電子化したとしても、このスイッチ回路３２は計測端末装置２０に設けられるだけであり、パイプひずみ計（地滑りセンサ）の設置現場に設けられることがないので落雷等に起因するサージ電流から保護する必要もない。そして外部接続コネクタ１５については、その接点部をカバー体等を用いて封止したり、或いは金メッキタイプのものを用いて湿気による錆や腐食の発生を防ぐようにしておけば、所定の接続コードとの連結だけで複数のひずみゲージ対２を計測端末装置２０に対して確実に外部接続することができる。従って簡易にして効果的に接触不良（電気的接続不良）の問題やサージ電流に対する問題等を効果的に回避してその動作信頼性を確保し、精度の高い計測を行うことが可能となる。
【００２９】
また上述した構成によれば、計測端末装置２０においてスイッチ回路３２を操作して計測対象とするひずみゲージ対２を選択するので、計測端末装置２０を操作する手元側においてどのひずみゲージ対の抵抗値変化を計測しているのかを常に正確に把握することができ、その取り扱いの容易化を図ることができる。またその計測データの正確な管理が可能となり、その後の解析処理も正確に行うことが可能となる。また計測データを前述したメモリカード２５に記憶するようにしておけば、計測端末装置２０から取り外したメモリカード２５の図示しないパーソナルコンピュータ等の解析システムに装着するだけで、該解析システムにその計測データを一括して取り込むことができるので、この点でもその取り扱いが容易である。
【００３０】
尚、本発明は上述した実施形態に限定されるものではない。例えば接続ユニット１０にＥＥＰＲＯＭを設けておき、どのチャネルにどのひずみゲージ対２を接続したかと言う対応情報や、そのパイプひずみ計（地滑りセンサ）の管理番号等を予め記憶させておくようにしても良い。そしてひずみゲージ対２の抵抗値計測時に上記ＥＰＲＯＭの記憶情報をＣＰＵ３０に一括して読み出し、その計測データと共にメモリカード２５等に書き込むようにしておけば、その後のデータ解析を間違いなく正確に行うことが可能となる。また処理対象とするひずみゲージ対２のチャネル数については、上述した２０チャネルに限定されるものでなく、仕様に応じたチャネル数であれば十分である。また接続コネクタ１５については、３本１組のリード線の内の１本（例えばＧＮＤライン）を共通ラインとして１本にまとめることができるので、少なくとも［２本×ｎチャネル＋１本］のピン数を備えたものを用いれば十分である。
【００３１】
またスイッチ回路３２については、手動にてその切り換え操作を行うようにしても良いことは言うまでもない。また前述した接続端子２１にひずみゲージ対２を接続して、その抵抗値変化をローカルに計測し得ることも言うまでもない。その他、本発明はその要旨を逸脱しない範囲で種々変形して実施することができる。
【図面の簡単な説明】
【００３２】
【図１】本発明の一実施形態に係る地滑り計の要部概略構成図。
【図２】図１に示す地滑り計の計測端末装置の概略構成を示す図。
【図３】計測端末装置に組み込まれる計測回路の一例を示す図。
【図４】パイプひずみ計の構成とその仕様形態を示す図。
【図５】従来の手動・半自動による計測形態を示す図。
【符号の説明】
【００３３】
１  パイプ体
２  ひずみゲージ対
２ａ,２ｂ  ひずみゲージ
１０  接続ユニット
１２  端子台
１５  外部接続コネクタ
２０  計測端末装置
２２  接続コネクタ
２３  液晶表示器
２４  押し釦スイッチ（操作キー）
２５  メモリカード
３０  ＣＰＵ（計測手段）
３２  スイッチ回路（チャネル選択機能）
３３  Ａ／Ｄ変換器
３８  センサ駆動電源
４０  計測回路
４１  定電流源
４２,４３  バッファ
４５,４６  基準抵抗
【図１】
2005265445.tif 000003
【図２】
2005265445.tif 000004
【図３】
2005265445.tif 000005
【図４】
2005265445.tif 000006
【図５】
2005265445.tif 000007